(57)【特許請求の範囲】
【請求項１】
弦を押さえる多数のキーレバーを、支持ブロック体のレバー溝に支軸を介して回動可能に支持し、
前記支持ブロック体のレバー溝の相互間に位置する区画部が中空形状に形成されており、
前記キーレバーの一側面とその一側面に面する前記支持ブロック体のレバー溝の一方の溝側壁との間に、戻しばねとしてのねじりコイルばねを配置し、
前記ねじりコイルばねは、巻線部と、その巻線部よりそれぞれ接線方向に突出する一対の突出端部と、一方の突出端部に形成されたレバー掛止部と、他方の突出端部に形成されたガイド部とを備え、
前記ねじりコイルばねの巻線部を前記支軸に嵌合して配置し、前記一方の突出端部のレバー掛止部を前記キーレバーに掛止し、前記他方の突出端部のガイド部を前記支持ブロック体に掛止した
ことを特徴とする弦楽器。
【発明の詳細な説明】
【０００１】
【発明の属する技術分野】
本発明は、弦をキーレバーにより押さえる形式の弦楽器に関する。
【０００２】
【従来の技術】
弦をキーレバーにより押さえる形式の弦楽器には大正琴が挙げられる。大正琴の従来例を図１１〜図１４により説明する。大正琴の側断面図を示した図１１において、大正琴１０１の共鳴効果のある共鳴箱（台箱ともいう）１０２の上面には、指板１０３が設けられている。台箱１０２には、指板１０３の上方近くにほぼ平行状に並ぶ適数本の弦１０５が張られている。台箱１０２には、２〜３個の支柱部材（図示省略）を介して鍵盤１１０が支持されている。
【０００３】
鍵盤１１０は、樹脂製の支持ブロック体１３０および多数の金属板製のキーレバー１２０を主要部品として備えている。その支持ブロック体１３０が前記台箱１０２に対し支柱部材（図示省略）によって支持されることにより、前に述べたように鍵盤１１０が配置されている。支持ブロック体１３０の上面には、樹脂製あるいは木製等の天板１０４がボルト１０７で固定されている。
【０００４】
前記支持ブロック体１３０には、中実状のレバーガイド片１３０ａおよび中実状の軸支持片１３０ｂが前後に並んで形成されている。隣合うレバーガイド片１３０ａの相互間、および、隣合う軸支持片１３０ｂの相互間に、レバー溝１３９が形成されている。レバーガイド片１３０ａおよび軸支持片１３０ｂは、支持ブロック体１３０の裏面側の斜視図を示した図１４によく表わされている。
【０００５】
図１１に示すように、軸支持片１３０ｂには支軸１５０が取り付けられている。支軸１５０には、各レバー溝１３９に配置された多数のキーレバー１２０のレバー本体１２１の軸孔（図１３の斜視図における符号、１２１ａ参照）がそれぞれ遊嵌されることにより回動可能に支持されている。キーレバー１２０は、図１３に示すように、ほぼ長細板形状に形成された金属板材からなるレバー本体１２１を主体として形成されている。レバー本体１２１の自由端部（図１１において左端部）には樹脂製のキーボタン１２９が取り付けられている。なお、レバー本体１２１は、前記支軸１５０に対し短尺方向に立てた状態で支持されている。
【０００６】
図１１に示すように、前記支持ブロック体１３０には、前記レバー本体１２１の後端部に対応するシリンダ部１３０ｃが形成されている。シリンダ部１３０ｃには、戻しばねとしてのコイルばね１６０と、そのばね１６０によって突出方向（図１１において下方）に付勢されるプッシュピース１４０とが組込まれている。なお、図１２にコイルばね１６０の周辺部が断面図で示されている。
【０００７】
図１１に示すように、前記プッシュピース１４０は、コイルばね１６０の付勢力をもって、前記レバー本体１２１の後端部に対し当接している。これにより、前記キーレバー１２０は、キーボタン１２９が上昇する方向に付勢されており、レバー本体１２１のほぼ中央部がその上方の止め具１４２と当接している。止め具１４２は、フェルト等で形成されており、前記天板１０４の前端部に取り付けられている。
【０００８】
大正琴１０１の演奏者は、前記キーレバー１２０のキーボタン１２９を前記コイルばね１６０の付勢に抗して押し下げる（図１１中、二点鎖線１２９参照）ことにより、レバー本体１２１の弦押え部１２３によって前記弦１０５が前記台箱１０２上の指板１０３に押さえられる。この状態で、演奏者が弦１０５を弾いて音を発生させる。
【０００９】
また、隣合うキーレバー１２０における相互間の間隔は、高音階から低音階になるにつれて広くなる。したがって、キーレバー１２０が図１１において前後方向に真っ直ぐに延びていると、隣合うキーレバー１２０のキーボタン１２９の相互間の間隔も高音階から低音階になるにつれて広くなり、キーボタン１２９を操作（キー操作ともいう）しにくくなる。このため、図１３に示すように、レバー本体１２１の弦押え部１２３より自由端部側の部分に、山折り部１２４および谷折り部１２５を形成し、その山折り部１２４および谷折り部１２５の折り曲げ角度をキーレバー１２０の配置位置に応じて調整することによって、隣合うキーレバー１２０のキーボタン１２９の相互間の間隔の均等化が図られている。
【００１０】
【発明が解決しようとする課題】
上記した従来の大正琴１０１では、図１４に示すように、キーレバーの支持ブロック体１３０において、レバー溝１３９の相互間に位置する区画部、すなわちレバーガイド片１３０ａおよび軸支持片１３０ｂがそれぞれ中実状に形成されていた。このため、支持ブロック体１３０の重量が重かった。このことは、鍵盤の重量を増加させ、ひいては大正琴１０１の重量増加を招くことになるため、好ましいことではなない。
【００１１】
なお、レバーガイド片１３０ａおよび／または軸支持片１３０ｂを、レバー溝１３９の溝側壁を形成する部分だけ平板壁状に形成することにより、支持ブロック体１３０を軽量化することが容易に考えられる。しかし、これでは、レバーガイド片１３０ａおよび／または軸支持片１３０ｂの強度が低下するだけでなく、支持ブロック体１３０を弱体化させることになる。このため、支持ブロック体１３０が容易にたわんでしまい、キーレバー１２０の操作に支障をきたすことになるため、好ましいことではない。
【００１２】
本発明は上記した問題点を解決するためになされたものであって、本発明が解決しようとする課題は、支持ブロック体をほとんど弱体化させずに軽量化することのできる弦楽器を提供することにある。
【００１３】
【課題を解決するための手段】
前記課題を解決する請求項１の発明は、
弦を押さえる多数のキーレバーを、支持ブロック体のレバー溝に支軸を介して回動可能に支持し、
前記支持ブロック体のレバー溝の相互間に位置する区画部が中空形状に形成されており、
前記キーレバーの一側面とその一側面に面する前記支持ブロック体のレバー溝の一方の溝側壁との間に、戻しばねとしてのねじりコイルばねを配置し、
前記ねじりコイルばねは、巻線部と、その巻線部よりそれぞれ接線方向に突出する一対の突出端部と、一方の突出端部に形成されたレバー掛止部と、他方の突出端部に形成されたガイド部とを備え、
前記ねじりコイルばねの巻線部を前記支軸に嵌合して配置し、前記一方の突出端部のレバー掛止部を前記キーレバーに掛止し、前記他方の突出端部のガイド部を前記支持ブロック体に掛止した
ことを特徴とする弦楽器である。
このように構成すると、弦を押さえる多数のキーレバーを回動可能に支持する支持ブロック体において、各レバー溝の相互間の区画部が中空形状に形成されているため、その区画部が中実状に形成されている場合と比べて、支持ブロック体をほとんど弱体化させずに軽量化することができる。
また、キーレバーの一側面とその一側面に面する支持ブロック体のレバー溝の一方の溝側壁との間に戻しばねとしてのねじりコイルばねを配置し、ねじりコイルばねの巻線部を支軸に嵌合して配置し、一方の突出端部のレバー掛止部をキーレバーに掛止し、他方の突出端部のガイド部を支持ブロック体に掛止している。このため、ねじりコイルばねを、キーレバーの一側面とその一側面に面する支持ブロック体のレバー溝の一方の溝側壁との間の狭いスペースに組込むことができる。
【００１８】
【発明の実施の形態】
本発明の一実施の形態を図面に基づいて説明する。本実施の形態では、弦をキーレバーにより押さえる形式の弦楽器として大正琴を取り上げることにする。大正琴の側断面図を示した図１において、大正琴１の共鳴効果のある共鳴箱（台箱ともいう）２の上面には指板３が設けられている。台箱２には、指板３の上方近くにほぼ平行状に並ぶ適数本の弦５が張設されている。
【００１９】
前記台箱２には、２〜３個の支柱部材（図示省略）を介して鍵盤１０が支持されている。なお、台箱２および支柱部材については、周知のものであるからその詳細な説明は省略する。
【００２０】
図２に鍵盤１０の外観斜視図が示され、図３に鍵盤１０の裏面側の斜視図が示されている。図２および図３において、鍵盤１０は、多数のキーレバー２０および樹脂製の支持ブロック体３０を主要部品として備えている。なお、説明の都合上、支持ブロック体３０、キーレバー２０の順で説明する。また、支持ブロック体３０が台箱２に対し支柱部材（図示省略）によって支持されることにより、鍵盤１０が台箱２に配置される（図１参照）。また、図１に示すように、支持ブロック体３０の上面には、天板４がボルト（図示省略）等により固定される。
【００２１】
前記支持ブロック体３０について説明する。図２および図３に示される支持ブロック体３０は、例えばＡＢＳ樹脂等の樹脂成形により一体成形されている。支持ブロック体３０は、横長四角形ブロック状に形成されている。なお、図５に支持ブロック体３０の裏面側の斜視図が示されている。
【００２２】
図２および図５に示すように、前記支持ブロック体３０は、ほぼ矩形枠状に形成された前側壁３１、後側壁３２、左側壁３３および右側壁３４を有している。これらの４つの側壁３１，３２，３３，３４によって形成される枠部内において、左側壁３３と右側壁３４との間には、前側中間壁３５および後側中間壁３６が架設されている。前側中間壁３５は、その上端縁が下端縁より前方に位置する傾斜壁となっている。また、後側中間壁３６は、その上端縁が下端縁より後方に位置して前記後側壁３２の上端縁に連なる傾斜壁となっている。
【００２３】
前記前側壁３１、左側壁３３、右側壁３４および前側中間壁３５とにより取り囲まれた枠内の上面開口は、それらの壁の上端縁に外周縁が連なる上壁３７によって閉塞されている（図２参照）。上壁３７の上面は、後側壁３２、左側壁３３および右側壁３４の上端面と同一平面をなしている。
【００２４】
また、前記左側壁３３、右側壁３４、前側中間壁３５および後側中間壁３６とにより取り囲まれた枠内の下面開口は、それらの壁の下端縁に外周縁が連なる下壁３８によって閉塞されている（図５参照）。なお、図５に示すように、後側壁３２の下端面と、左側壁３３および右側壁３４の後半部の下端面とは、同一平面をなしており、下壁３８の下面より低い位置に形成されている。また、前側壁３１の下端面と、左側壁３３および右側壁３４の前半部の下端面とは、同一平面をなしており、下壁３８の下面より高い位置に形成されている。
【００２５】
前記前側壁３１、前側中間壁３５、後側中間壁３６および下壁３８には、それらの壁に跨って一連状に開口する多数個（例えば２８個）のレバー溝３９が平行状に形成されている。これらのレバー溝３９は、多数のキーレバー２０（図３参照）の本数およびそのキーレバー２０の配置間隔に対応するように形成されている。隣合うレバー溝３９の相互間の間隔は、高音階から低音階になるにつれて広くなっている（図５参照）。
【００２６】
図４に示すように、前記各レバー溝３９の左右側面は、前記前側壁３１から前側中間壁３５を通じて後側中間壁３６に亘って架設された溝側壁４０によって形成されている。各溝側壁４０の前半部の上端縁は、前記上壁３７（図２参照）に連なっている。また、各溝側壁４０の後半部の下端縁は、前記下壁３８に連なっている（図５参照）。なお、高音階における端部付近の溝側壁４０は、隣合うレバー溝３９の溝側壁４０を兼用している。
【００２７】
図４に鍵盤１０の部分裏面図を示すように、前記レバー溝３９の前半部の相互間には、前記レバー溝３９によって分割された前側壁３１および前側中間壁３５と、隣合う溝側壁４０と溝壁（あるいは、前記左側壁３３とその左側壁３３に隣合う溝側壁４０、または、前記右側壁３４とその右側壁３４に隣合う溝側壁４０）の当該部分とによって、下面を開口する中空形状のレバーガイド片３０ａが形成されている。レバーガイド片３０ａの上面は、上壁３７によって閉塞されている。レバーガイド片３０ａの下端面は、前側壁３１の下端面と同一平面をなしている。なお、レバーガイド片３０ａは本明細書でいう区画部に相当する。
【００２８】
前記隣合う溝側壁４０の後半部の上端縁は、ほぼ水平状をなす連結上壁４１（図２参照）によって相互に連なっている。連結上壁４１は、その前端縁が前記上壁３７の後端縁に対しやや低い位置で段付き状に連なっているとともに、その後端部は前記後側壁３２の上端縁に連なっており、前記上壁３７とともに前記各レバー溝３９の上面を閉塞している。図２に示すように、連結上壁４１の後部４１ａは後端より前方に向かって前下がり状に傾斜している。なお、高音階における端部付近の例えば５つのレバー溝３９の上面を閉塞する連結上壁４１は一連状に形成されている。
【００２９】
図４に示すように、前記レバー溝３９の後半部の相互間には、前記レバー溝３９によって分割された前側中間壁３５および後側中間壁３６と、隣合う溝側壁４０と溝壁（あるいは、前記左側壁３３とその左側壁３３に隣合う溝側壁４０、または、前記右側壁３４とその右側壁３４に隣合う溝側壁４０）の当該部分とによって、上面を開口する中空形状の軸支持片３０ｂが形成されている（図５参照）。軸支持片３０ｂの下面は、前記レバー溝３９によって分割された下壁３８によって閉塞されている。なお、軸支持片３０ｂは本明細書でいう区画部に相当する。
【００３０】
前記軸支持片３０ｂにおいて、多数の前記溝側壁４０、左側壁３３および右側壁３４には、一連状をなす支軸孔４３（図２参照）がそれぞれ形成されている。また、前記各レバー溝３９における一方（例えば左側）の溝側壁４０の溝壁面には、図１０に斜視図で示すように、下面に開口するほぼＵ字溝形状の軸受溝４０ａがそれぞれ形成されている。軸受溝４０ａのＵ字状の溝底部分は、前記支軸孔４３を中心とするほぼ円弧形状に形成され、軸受凹部４０ｂに設定されている。
【００３１】
前記一連状をなす支軸孔４３には、後述するキーレバー２０を回動可能に支持する金属製の支軸５０が圧入されている（図６および図７の各断面図参照）。
【００３２】
図２に示すように、前記上壁３７には、天板４（図１参照）や支柱部材（図示省略）を取り付けるための適数個（例えば４個）の取り付け孔３７ａがほぼ等間隔で形成されている。また、前記後側中間壁３６の後端部には、天板（図１参照）や支柱部材（図示省略）を取り付けるための取り付け孔３６ａを形成する適数個（例えば４個）のボス部３６ｂがほぼ等間隔で形成されている。また、前記後側中間壁３６には、中央に位置する支柱部材（図示省略）を嵌め込む開口孔３６ｃが後側壁３２の上端部に跨って形成されている。
【００３３】
次に、キーレバー２０を説明する。キーレバー２０は、図８に斜視図で示すように、ほぼ長細板形状に形成された金属板材からなるレバー本体２１を主体として形成されている。レバー本体２１は、例えばステンレス製のプレス成形品である。
【００３４】
レバー本体２１の後端部には軸孔２１ａが形成されている。この軸孔２１ａは、前記支軸５０の外径よりも大きい口径をもって形成されている。また、レバー本体２１の前端上部には、ボタン取り付け部２２が形成されている。また、レバー本体２１のほぼ中央部には弦押え部２３が設定されている。なお、レバー本体２１には、前記軸孔２１ａと弦押え部２３との間において前後にかつ上下にずれた位置関係をなす孔２１ｂが形成されている。この孔２１ｂは、例えばレバー本体２１のプレス成形時の位置決め孔として機能する。
【００３５】
また、図２に示すように、キーレバー２０の相互間の間隔は、高音階から低音階になるにつれて広くなる。このため、図８に示すように、レバー本体２１の弦押え部２３より自由端部側の部分に、山折り部２４および谷折り部２５を形成し、その山折り部２４および谷折り部２５の折り曲げ角度をキーレバー２０の配置位置に応じて調整することによって、隣合うキーレバー２０のキーボタン（後述する）の相互間の間隔の均等化が図られている。
【００３６】
しかして、図８に示すように、前記レバー本体２１にはリブ２６が形成されている。リブ２６は、レバー本体２１の短手方向（上下方向）のほぼ中央部においてそのレバー本体２１の長手方向に延びている。そのリブ２６は、弦押え部２３の前端付近からレバー本体２１の前端（図８において左端）に亘って形成されている。このリブ２６は、レバー本体２１のプレス成形による打ち抜き加工と同時に曲げ加工されることによって形成されている。
【００３７】
前記レバー本体２１の軸孔２１ａには、樹脂製の円筒形状をなす軸受ブッシュ２７が圧入によって取り付けられている。軸受ブッシュ２７の孔２７ａの内径は、前記支軸５０をほとんどがたつくことなく回動可能に挿入することのできる大きさで形成されている。なお軸受ブッシュ２７は、例えばシリコーン樹脂からなる。
【００３８】
前記軸受ブッシュ２７は、図７に示すように、レバー本体２１の両側面よりそれぞれ突出されている。その軸受ブッシュ２７の突出部分は、前記レバー溝３９（詳しくは前記軸支持片３０ｂの相互間）に嵌合可能な大きさでかつ一方に突出部分が前記支持ブロック体３０（図５参照）の軸受溝４０ａの軸受凹部４０ｂ（図１０参照）にほとんどがたつくことなく回動可能に嵌合する大きさをもって左右対称状に形成されている。なお、軸受ブッシュ２７は、レバー本体２１にインサート成形によって形成することも考えられる。
【００３９】
図８に示すように、前記レバー本体２１のほぼ中央部には、樹脂製の弦押え部材２８がインサート成形等によって形成されている。弦押え部材２８は、前記支持ブロック体３０のレバーガイド片３０ａの相互間にほとんどがたつくことなく上下動可能に嵌合する大きさで形成されている。なお弦押え部材２８は、例えば軸受ブッシュ２７と同質の樹脂からなる。
【００４０】
図８に示すように、前記レバー本体２１のボタン取り付け部２２には、樹脂製のキーボタン２９がインサート成形によって形成されている。また、各キーボタン２９の表皮材はエラストマ樹脂によって成形されており、大正琴１の演奏者の指によるキーボタン２９の触感を向上させている。また、各キーボタン２９の上面には、図２に示すように、音階を表示する符号が記されている。また、各キーボタン２９は、例えば前列に並ぶボタンは白色、後列に並ぶボタンは黒色をなしている。なお、キーボタン２９は、ボタン取り付け部２２に嵌合によって取り付けることが可能である。
【００４１】
上記のように形成されたキーレバー２０におけるレバー本体２１（図８参照）の一側面には、戻しばねとしてのねじりコイルばね（ねじりつるまきばねともいう）６０が配置される。ねじりコイルばね６０は、図９に斜視図で示すように、約１．５巻の巻線部６０ａと、その巻線部６０ａよりそれぞれ接線方向に突出する一対の突出端部６１，６２を有している。一方の突出端部６１の端末は、巻線部６０ａの軸線に平行する方向で巻線部６０ａの外方に向けてほぼＬ字状に折曲されており、レバー掛止部６１ａに設定されている。また、他方の突出端部６２の端末は、巻線部６０ａの軸線に平行する線と交差しかつ巻線方向の外方に向けてほぼＬ字状に折曲されており、ガイド部６２ａに設定されている。
【００４２】
前記キーレバー２０とねじりコイルばね６０とは、次に述べるようにして前記支持ブロック体３０に組込まれる。まず、前記ねじりコイルばね６０の巻線部６０ａは、図６および図７に示すように、前記レバー本体２１の軸受ブッシュ２７における一側の突出部分にほぼ重合状に嵌合される。ねじりコイルばね６０のレバー掛止部６１ａは、レバー本体２１における弦押え部２３の後近くの下縁部に掛止されている（図６参照）。
【００４３】
この状態で、前記支軸５０を挿入する前における前記支持ブロック体３０の裏面側よりレバー溝３９に、レバー本体２１とねじりコイルばね６０を組込む（図４参照）。このとき、図７に示すように、レバー本体２１の軸受ブッシュ２７における一方の突出端部を、レバー溝３９の一方の溝側壁４０における軸受溝４０ａの軸受凹部４０ｂ（図１０参照）に嵌合することにより、軸受ブッシュ２７が支持ブロック体３０の支軸孔４３とほぼ同一軸線上に支持される。これと同時に、図４に示すように、レバー本体２１の弦押え部２３は、レバーガイド片３０ａの相互間にほとんどがたつくことなく上下動可能に嵌合される。
【００４４】
また、ねじりコイルばね６０のガイド部６２ａ（図６参照）は、後側中間壁３６の傾斜状の下面を摺動していき、その後側中間壁３６と後側壁３２とによる裏面側の隅角部分に位置決めされる（図４参照）。
【００４５】
上記のようにして、支持ブロック体３０の各レバー溝３９に多数のキーレバー２０をねじりコイルばね６０とともに組込んだ状態で、支持ブロック体３０の支軸孔４３には前に述べたように支軸５０（図６および図７参照）が圧入される。その支軸５０の圧入にともない、各キーレバー２０におけるレバー本体２１の軸受ブッシュ２７の孔２７ａ（図６および図７参照）に対し支軸５０が回動可能に挿通されていく。支軸５０の圧入の完了によって、支持ブロック体３０に多数のキーレバー２０が短尺方向に立てた状態で回動可能に支持される（図２参照）。これにともない、キーレバー２０は、ねじりコイルばね６０の付勢力をもって支軸５０の軸回り方向（図１において右回り方向）に付勢されており、弦押え部材２８が支持ブロック体３０のレバー溝３９の溝底面（溝上面）に当接している。
【００４６】
上記のように、支持ブロック体３０に多数のキーレバー２０、支軸５０、ねじりコイルばね６０等を組込むことによって、図２に示される鍵盤１０が構成されている。この鍵盤１０を、前にも述べたように、台箱２（図１参照）に２〜３個の支柱部材（図示省略）を介して支持することにより、大正琴１ができ上がる。
【００４７】
図１において、大正琴１の演奏者（図示省略）は、前記各キーレバー２０のキーボタン２９をねじりコイルばね６０の付勢に抗して押し下げる（図１中、二点鎖線２９参照）ことにより、レバー本体２１の弦押え部材２８によって、弦５が台箱２上の指板３に押さえられる。この状態で、演奏者が弦５を弾いて音を発生させる。
【００４８】
上記した大正琴１のキーレバー２０の支持ブロック体３０によると、レバー溝３９の相互間に位置する区画部、すなわちレバーガイド片３０ａ、および、軸支持片３０ｂがそれぞれ中空形状に形成されている（図３および図４参照）。このため、支持ブロック体３０をほとんど弱体化させずに軽量化することができる。
【００４９】
また、区画部、すなわちレバーガイド片３０ａおよび軸支持片３０ｂがレバー溝３９を形成する溝側壁４０を含んでいる。したがって、溝側壁４０によって、レバーガイド片３０ａおよび軸支持片３０ｂを強化することができるとともに、レバー操作時のキーレバー２０を良好にガイドすることができる。
【００５０】
また、支持ブロック体３０が樹脂成形によって一体成形してある（図５参照）。このため、中空形状の区画部（すなわちレバーガイド片３０ａ、および、軸支持片３０ｂ）を有する支持ブロック体３０を樹脂成形によって容易に一体成形することができる。
【００５１】
また、上記支持ブロック体３０を備えた大正琴１の鍵盤１０（図２参照）である。このため、支持ブロック体３０をほとんど弱体化させずに軽量化された大正琴１の鍵盤１０を提供することができる。
【００５２】
また、上記鍵盤１０を備えた大正琴１（図１参照）である。このため、支持ブロック体３０をほとんど弱体化させずに軽量化された大正琴１を提供することができる。
【００５３】
また、上記実施の形態における大正琴１は、次に述べるように、従来例で述べた大正琴１０１（図１１〜図１４参照）における問題点も改良されている。例えば、従来例で述べた大正琴１０１（図１１参照）では、支持ブロック体１３０に形成されたシリンダ部１３０ｃに、戻しばねとしてのコイルばね１６０およびプッシュピース１４０が組込まれていた。このため、キーレバー１２０のレバー本体１２１は、プッシュピース１４０が当接する部分を支軸１５０の後方に突出するように形成する必要がある。したがって、プッシュピース１４０が当接する部分相当分、レバー本体１２１に余計な長さが必要となる。このため、キーレバー１２０の長さが長くなり、ひいては、鍵盤１１０の前後方向長さが増大することになる。
【００５４】
これを解決するため、上記実施の形態で述べた大正琴１によると、キーレバー２０の戻しばねに、支軸５０上に配置したねじりコイルばね６０（図１参照）を採用している。このため、ねじりコイルばね６０を、レバー溝３９の一方の溝側壁４０とレバー本体２１との間の狭いスペースに組込むことができる（図４参照）。これによって、レバー本体２１の支軸５０からレバー後端（図４において下端）までの余計な長さが不要となるため、キーレバー２０の長さを短縮し、ひいては、鍵盤１０の前後方向長さを短縮することができる。
【００５５】
また、例えば従来例で述べた大正琴１０１（図１１参照）によると、支持ブロック体１３０に形成されたシリンダ部１３０ｃには鍵盤１１０左右方向にもスペースが必要となる。
【００５６】
これを解決するため、上記実施の形態で述べた大正琴１によると、キーレバー２０の戻しばねとして支軸５０上に配置したねじりコイルばね６０（図１参照）を採用しているため、ねじりコイルばね６０を前に述べたように狭いスペースに組込むことができ、戻しばねの組み込みに必要な鍵盤１０左右方向のスペースも削減することができる。
【００５７】
また、従来例で述べた大正琴１０１（図１１参照）では、キーレバー１２０における金属製のレバー本体１２１の軸孔２１ａを金属製の支軸１５０に遊嵌することにより、支軸１５０とレバー本体１２１との金属同志の摺動による摩擦を軽減し、キーレバー１２０の操作をしやすくしている。このため、キーレバー１２０の押し下げ後の戻しばねの付勢による跳ね返りによって、支軸１５０とレバー本体１２１の軸孔２１ａとのがたつきによる異音（金属音）が発生した。
【００５８】
これを解決するため、上記実施の形態で述べた大正琴１によると、キーレバー２０における金属製のレバー本体２１の軸孔２１ａに設けた軸受ブッシュ２７を金属製の支軸５０に嵌挿している（図６参照）。このため、軸受ブッシュ２７の潤滑性により、キーレバー２０のレバー操作がしやすくなるとともに、レバー本体２１と支軸５０とによる金属同志の当接もなくなるため、その当接による異音の発生を防止することができる。
【００５９】
また、従来例で述べた大正琴１０１（図１１参照）では、キーレバー１２０における金属製のレバー本体１２１の弦押え部１２３により金属製の弦１０５を押さえていたため、レバー本体１２１と弦１０５との金属同志の当接により、キーレバー１２０および／または弦１０５にぶれが発生し易かった。
【００６０】
これを解決するため、上記実施の形態で述べた大正琴１によると、キーレバー２０のレバー本体２１に設けた樹脂製の弦押え部材２８（図１参照）が金属製の弦５を押さえるため、レバー本体２１と弦５との金属同志の当接を回避することができ、キーレバー２０および／または弦５のぶれの発生を防止することができる。
【００６１】
また、従来例で述べた大正琴１０１（図１１参照）では、金属製のレバー本体１２１が樹脂製の支持ブロック体１３０のレバーガイド片１３０ａの相互間を摺動するため、キーレバー１２０のぶれによって支持ブロック体１３０のレバーガイド片１３０ａが損耗をきたすおそれがある。
【００６２】
これを解決するため、上記実施の形態で述べた大正琴１によると、キーレバー２０のレバー本体２１に設けた樹脂製の弦押え部材２８（図４参照）が樹脂製の支持ブロック体３０のレバーガイド片３０ａの相互間を摺動するため、キーレバー２０のぶれを防止することができるとともに、支持ブロック体３０のレバーガイド片３０ａの損耗を防止することができる。
【００６３】
また、従来例で述べた大正琴１０１（図１１参照）では、キーレバー１２０のレバー本体１２１は、板厚の薄い金属板材から形成されていた。このため、レバー本体１２１の強度が不足していた。このため、キーレバー１２０の操作時にレバー本体１２１にたわみや横ぶれが発生し易く、安定したキー操作を行なうことができないという問題があった。
【００６４】
これを解決するため、上記実施の形態で述べた大正琴１によると、ほぼ長細板形状に形成されたレバー本体２１を備え、レバー本体２１を短尺方向に立てた状態で大正琴１の弦５を押さえるキーレバー２０において、レバー本体２１にリブ２６（図８参照）が設けられている。したがって、レバー本体２１に設けられたリブ２６によって、レバー本体２１の強度が増大されることにより、キーレバー２０の操作時におけるレバー本体２１のたわみの発生を防止し、安定したキー操作を行なうことができる。とくに、図８に示すように、レバー本体２１の弦押え部材２８（作用点）とキーボタン２９（力点）とが横方向にずれている場合に有効である。
【００６５】
本発明は前記実施の形態に限定されるものではなく、本発明の要旨を逸脱しない範囲における変更が可能である。例えば、本発明は、大正琴に限らず、弦をキーレバーにより押さえる形式の弦楽器であれば適用することができる。また、電気式の大正琴やこれに類する弦楽器にも適用することができる。また、レバーガイド片３０ａと軸支持片３０ｂとの少なくとも一方が中空形状であれば、支持ブロック体３０の軽量化が可能である。また、支持ブロック体３０は、樹脂成形に代え、例えばレバー本体２１がアルミニウム材を主体とする合金によって成形することができる。また、上記実施の形態では、レバーガイド片３０ａと軸支持片３０ｂは、隣合う一対の溝側壁４０を含んでいたが、隣合う一対の溝側壁４０のうち一方の溝側壁４０を省略してもよいし、あるいは、隣合う一対の溝側壁４０を両方とも省略しても良い。
【００６６】
【発明の効果】
本発明における弦楽器によれば、支持ブロック体をほとんど弱体化させずに軽量化することができる。
【図面の簡単な説明】
【図１】実施の形態１における大正琴の側断面図である。
【図２】大正琴の鍵盤を示す外観斜視図である。
【図３】鍵盤を示す裏面側の斜視図である。
【図４】鍵盤の部分裏面図である。
【図５】鍵盤の支持ブロック体を示す裏面側の斜視図である。
【図６】キーレバーの軸受部分を示す断面図である。
【図７】図６のＶＩＩ−ＶＩＩ線断面図である。
【図８】キーレバーの斜視図である。
【図９】ねじりコイルばねを示す斜視図である。
【図１０】軸受溝の周辺部を示す斜視図である。
【図１１】従来例を示す大正琴の側断面図である。
【図１２】コイルばねの周辺部を示す断面図である。
【図１３】キーレバーの斜視図である。
【図１４】鍵盤の支持ブロック体を示す裏面側の斜視図である。
【符号の説明】
１  大正琴（弦楽器）
１０  鍵盤
２０  キーレバー
３９  レバー溝
３０ａ  レバーガイド片（区画部）
３０ｂ  軸支持片（区画部）
【図１】
0003795287.tif 000002
【図２】
0003795287.tif 000003
【図３】
0003795287.tif 000004
【図４】
0003795287.tif 000005
【図５】
0003795287.tif 000006
【図６】
0003795287.tif 000007
【図７】
0003795287.tif 000008
【図８】
0003795287.tif 000009
【図９】
0003795287.tif 000010
【図１０】
0003795287.tif 000011
【図１１】
0003795287.tif 000012
【図１２】
0003795287.tif 000013
【図１３】
0003795287.tif 000014
【図１４】
0003795287.tif 000015